【事件の表示】
　特許第３１１７１７８号「口腔組織観察装置」の請求項１ないし４に係る特許に対する特許異議の申立てについて、次のとおり決定する。
【結　論】
　訂正を認める。
　特許第３１１７１７８号の請求項１ないし４に係る特許を維持する。
【理　由】
１．手続の経緯
　特許第３１１７１７８号の請求項１ないし４に係る発明についての出願は、平成６年９月２６日に特許出願されたもので、平成１２年１０月６日にその発明について特許の設定登録がなされた後、請求項１ないし４に係る発明の特許に対して小林初江より特許異議の申立てがなされ、取消理由通知がなされ、その指定期間内である平成１３年１１月８日に訂正請求がなさたものである。
　
２．訂正の適否
ア）訂正の内容
　特許権者が求めている訂正の内容は、次の１）〜６）のとおりである。
１）特許請求の範囲の請求項１を
「【請求項１】
（a）口腔内における被観察組織の発光を起こす特定波長の光を口腔組織に入射させ、口腔内の被観察組織を発光させる光入射手段と、
（b）前記被観察組織から放出される透過した被観察組織の発光を起こす特定波長の光と被観察組織からの発光による映像をカラー映像として捕らえる受像手段と、
（c）該受像手段で捕らえた映像を映すモニター装置とを備える口腔組織観察装置。」
と訂正する。
　
２）特許請求の範囲の請求項２を
「【請求項２】
（a）口腔内における被観察組織の発光を起こす光を口腔組織に入射させ、口腔内の被観察組織を発光させる光入射手段と、
（b）前記被観察組織から放出される光による映像を捕らえる受像手段と、
（c）前記被観察組織から前記受像手段に入射する光のうち、透過した被観察組織の発光を起こす特定波長の光のみを通過させるフィルターと、
（d）カラー映像として該受像手段で捕らえた映像を映すモニター装置とを備える口腔組織観察装置。」
と訂正する。
　
３）特許請求の範囲の請求項３を
「【請求項３】
（a）口腔内における被観察組織の発光を起こす特定波長の光を口腔組織に入射させ、口腔内の被観察組織を発光させる光入射手段と、
（b）前記被観察組織に付与して、前記被観察組織から放出される光の発光を変化させる着色剤または蛍光発色剤などの添加剤と
（c）前記添加剤を付与された被観察組織から放出される透過した被観察組織の発光を起こす特定波長の光と被観察組織からの発光による映像をカラー映像として捕らえる受像手段と、
（d）該受像手段で捕らえた映像を映すモニター装置とを備える口腔組織観察装置。」
と訂正する。
　
４）特許請求の範囲の請求項４を
「【請求項４】
（a）口腔内における被観察組織の発光を起こす光を口腔組織に入射させ、口腔内の被観察組織を発光させる光入射手段と、
（b）前記被観察組織に付与して、前記被観察組織から放出される光の発光を変化させる着色剤または蛍光発色剤などの添加剤と
（c）前記添加剤を付与された被観察組織から放出される光による映像を捕らえる受像手段と、
（d）前記添加剤を付与された被観察組織から前記受像手段に入射する光のうち、透過した被観察組織の発光を起こす特定波長の光のみを通過させるフィルターと、
（e）カラー映像として該受像手段で捕らえた映像を映すモニター装置とを備える口腔組織観察装置。」
と訂正する。
　
５）特許明細書の段落【０００６】を
「【課題を解決するための手段】
　本発明は、上記の目的を達成するために、次の技術的手段を採用する。
　請求項１の口腔組織観察装置は、
（a）口腔内における被観察組織の発光を起こす特定波長の光を口腔組織に入射させ、口腔内の被観察組織を発光させる光入射手段と、
（b）前記被観察組織から放出される透過した被観察組織の発光を起こす特定波長の光と被観察組織からの発光による映像をカラー映像として捕らえる受像手段と、
（c）該受像手段で捕らえた映像を映すモニター装置とを備える口腔組織観察装置。
とを備える。」
と訂正する。
　
６）特許明細書の段落【０００７】を
「請求項２の口腔組織観察装置は、
（a）口腔内における被観察組織の発光を起こす光を口腔組織に入射させ、口腔内の被観察組織を発光させる光入射手段と、
（b）前記被観察組織から放出される光による映像を捕らえる受像手段と、
（c）前記被観察組織から前記受像手段に入射する光のうち、透過した被観察組織の発光を起こす特定波長の光のみを通過させるフィルターと、
（d）カラー映像として該受像手段で捕らえた映像を映すモニター装置とを備える口腔組織観察装置とを備える。」
と訂正する。
　
イ）訂正の目的の適否、新規事項の有無及び拡張・変更の存否
・訂正事項１）、訂正事項３）は、それぞれ、請求項１、請求項３に対する訂正であり、
ａ）「放出される光」を「放出される透過した被観察組織の発光を起こす特定波長の光と被観察組織からの発光」と訂正し、
ｂ）「映像を捕らえる受像手段」を「映像をカラー映像として捕らえる受像手段」と訂正するものであり、これらの訂正は、特許請求の範囲の減縮を目的とするものである。
　そして、特許明細書に
「光入射手段によって、光を口腔組識に与える。光入射手段から光の入射を受ける口腔組識は、入射した光が透過して、発光した状態になる。この発光した状態をカメラで捕らえる。この時組織を発光させるための特定波長の光を入射手段から被観察組織へ照射したり、組織からの放出光から特定波長の光情報を抽出し、その光をカメラで捕らえ、そのカメラがとらえた口腔組織を、直接あるいは画像処理してモニター装置に写し、観察者はモニター装置で口腔組織を観察する。」（段落【０００９】）、
「図４に示すように、直接カメラで口腔組織を写しても良い。」（段落【００２５】）、
「カメラの捕らえた映像をそのままモニター装置３に写した例を示したが、図１４に示すようにカメラ９の捕らえた映像をコンピュータを搭載した解析手段２１で解析処理し、解析処理された映像をモニター装置３で写しても良い。なお、解析結果は、カラー映像である必要はなく、モノクロ映像であっても良い。」（段落【００３１】）、
と記載されていることから、これらの訂正は、願書に添付した明細書又は図面に記載した事項の範囲内においてされたものであり、また、実質上特許請求の範囲を拡張し、又は変更するものではない。
　
・訂正事項２）、訂正事項４）は、それぞれ、請求項２、請求項４に対する訂正であり、
ｃ）「特定波長の光のみを」を「透過した被観察組織の発光を起こす特定波長の光のみを」と訂正し、
ｄ）「該受像手段で捕らえた映像」を「カラー映像として該受像手段で捕らえた映像」と訂正するものであり、この訂正は、特許請求の範囲の減縮を目的とするものである。
　そして、特許明細書に
「光入射手段によって、光を口腔組識に与える。光入射手段から光の入射を受ける口腔組識は、入射した光が透過して、発光した状態になる。この発光した状態をカメラで捕らえる。この時組織を発光させるための特定波長の光を入射手段から被観察組織へ照射したり、組織からの放出光から特定波長の光情報を抽出し、その光をカメラで捕らえ、そのカメラがとらえた口腔組織を、直接あるいは画像処理してモニター装置に写し、観察者はモニター装置で口腔組織を観察する。」（段落【０００９】）、
「被観察組織への入射光を特定波長の光を採用したり、放出された光の特定波長の光を観察するなど特定の性質を有する光を観察する。」（段落【００１０】）、
「カメラの捕らえた映像をそのままモニター装置３に写した例を示したが、図１４に示すようにカメラ９の捕らえた映像をコンピュータを搭載した解析手段２１で解析処理し、解析処理された映像をモニター装置３で写しても良い。なお、解析結果は、カラー映像である必要はなく、モノクロ映像であっても良い。」（段落【００３１】）、
と記載されていることから、この訂正は、願書に添付した明細書又は図面に記載した事項の範囲内においてされたものであり、また、実質上特許請求の範囲を拡張し、又は変更するものではない。
　
・訂正事項５）、訂正事項６）は、それぞれ、訂正事項１）、訂正事項２）において訂正された記載との整合をとるために発明の詳細な説明の記載を訂正するものであり、明りょうでない記載の釈明を目的とするものである。そして、この訂正は、願書に添付した明細書又は図面に記載した事項の範囲内においてされたものであり、また、実質上特許請求の範囲を拡張し、又は変更するものではない。
　
ウ）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件の請求項１ないし４に係る発明は、訂正明細書及び図面の記載からみて、それぞれ、特許請求の範囲の請求項１ないし４に記載された次のとおりのものである。
　
「【請求項１】
（a）口腔内における被観察組織の発光を起こす特定波長の光を口腔組織に入射させ、口腔内の被観察組織を発光させる光入射手段と、
（b）前記被観察組織から放出される透過した被観察組織の発光を起こす特定波長の光と被観察組織からの発光による映像をカラー映像として捕らえる受像手段と、
（c）該受像手段で捕らえた映像を映すモニター装置とを備える口腔組織観察装置。
【請求項２】
（a）口腔内における被観察組織の発光を起こす光を口腔組織に入射させ、口腔内の被観察組織を発光させる光入射手段と、
（b）前記被観察組織から放出される光による映像を捕らえる受像手段と、
（c）前記被観察組織から前記受像手段に入射する光のうち、透過した被観察組織の発光を起こす特定波長の光のみを通過させるフィルターと、
（d）カラー映像として該受像手段で捕らえた映像を映すモニター装置とを備える口腔組織観察装置。
【請求項３】
（a）口腔内における被観察組織の発光を起こす特定波長の光を口腔組織に入射させ、口腔内の被観察組織を発光させる光入射手段と、
（b）前記被観察組織に付与して、前記被観察組織から放出される光の発光を変化させる着色剤または蛍光発色剤などの添加剤と
（c）前記添加剤を付与された被観察組織から放出される透過した被観察組織の発光を起こす特定波長の光と被観察組織からの発光による映像をカラー映像として捕らえる受像手段と、
（d）該受像手段で捕らえた映像を映すモニター装置とを備える口腔組織観察装置。
【請求項４】
（a）口腔内における被観察組織の発光を起こす光を口腔組織に入射させ、口腔内の被観察組織を発光させる光入射手段と、
（b）前記被観察組織に付与して、前記被観察組織から放出される光の発光を変化させる着色剤または蛍光発色剤などの添加剤と
（c）前記添加剤を付与された被観察組織から放出される光による映像を捕らえる受像手段と、
（d）前記添加剤を付与された被観察組織から前記受像手段に入射する光のうち、透過した被観察組織の発光を起こす特定波長の光のみを通過させるフィルターと、
（e）カラー映像として該受像手段で捕らえた映像を映すモニター装置とを備える口腔組織観察装置。」
　
イ）申立ての理由の概要
　特許異議申立人小林初江は、「本件特許の請求項１〜４にそれぞれ記載の発明は、その出願前に公知の甲第１号証〜甲第３号証に記載された発明や周知技術等に基づいて当業者が容易に発明しうる程度のものであり、特許法第２９条第２項の規定に該当し、よって、本件特許は同法第１１３条第１項第２号の規定により取り消されるべきものであります。」と主張している。
　
ウ）刊行物等
　当審で通知した取消理由で引用した刊行物１ないし４には以下のような事項が記載されている。
１）刊行物１：特開平５−３３７１４２号公報（甲第１号証）には、
（１−１）
「【請求項１】　少なくとも１つの歯に向かって、所定波長の放射線を放射する照射器具と、所定のスペクトルレンジで該歯により反射された放射線を透過する少なくとも１つのフィルタを有し、該フィルタを透過した放射線が齲蝕歯の検出のために利用される齲蝕歯の検出装置において、該照射器具（１０）が、それによって放射線（１８）を歯に照射する少なくとも１つの光線ガイド（１６、３０、４０）を有すると共に該照射器具（１０）が、３６０ｎｍ乃至５８０ｎｍのスペクトルレンジの放射線を放射し、該フィルタ（２４）が、６２０ｎｍ以上のスペクトルレンジで反射された放射線（２２）を透過することを特徴とする齲蝕歯の検出装置。」（特許請求の範囲）、
　
（１−２）
「【０００６】より好ましい実施例では、フィルタ２４が、６２０ｎｍ乃至７２０ｎｍのスペクトルレンジで反射された放射線２２を透過するように構成される。このスペクトルレンジ内で、齲蝕歯によって反射された蛍光スペクトルは、最高の値を有する。言い換えれば、変換された励起エネルギーからの蛍光放射の収量が高い。装置の齲蝕に対する感度は、それによって更に高くなる。更に、このスペクトルレンジに関しては、３６０ｎｍ乃至５８０ｎｍのスペクトルレンジ内で励起された放射線のスペクトルレンジからの隔たりが大きく、この励起放射は、本質的に抑制されるもので、結果を歪めることができない。従って、齲蝕された箇所が、高レベルのコントラストで検出される。」、
　
（１−３）
「【００１９】
 【実施例】　本発明の実施例を図面に基づいて以下に詳述する。図１において、本発明の齲蝕歯の検出、並びに、もし必要ならば、治療のための装置の基本的な構造が示されている。照射器具１０は、３６０ｎｍ乃至４２０ｎｍのスペクトルレンジ内で放射線を放射する放射線源１２を有する。前記放射線源１２としては、水銀灯やクリプトンレーザーやハラゲンランプや色素レーザーが使用される。所望のスペクトルレンジを透過するために放射線フィルタ１４が、各放射線源１２の前方に配設される。照射器具１０には、放射線源によって放射された放射線１８を診断するべき歯２０に向けて照射するための光線ガイド１６が装備されている。反射と蛍光の結果として歯２０の表面に当たって戻ってきた反射された放射線２２は、６２０ｎｍ以下の波長を有する放射線を吸収するか、又は、反射すると共にそれ以上の波長の放射線を透過するフィルタ２４によって透過される。該フィルタ２４は、図示しないメガネフレームに載置され、メガネフレームは目２６により示される可視観察の為の人員に装着される。照射された放射線１８は、齲蝕された歯領域内で特徴的な蛍光放射を励起し、フィルタ２４の該透過臨界波長以上の波長を有するそのスペクトル成分が目２６に到達する。その結果歯の齲蝕された箇所が、診断可能となる。
 【００２０】　図１に示された装置は、原理的に齲蝕歯の治療にも使用できる。このためには、より大きな放射強度を有する、例えば、レーザーのような放射線源１２を使用しなければならない。齲蝕歯の病原は、３６０ｎｍ乃至４２０ｎｍのスペクトルレンジの波長を有する放射線に敏感に反応し、次第に死滅する。齲蝕歯の治療箇所は、フィルタ２４を介して観察される。該フィルタ２４及び・又は放射線フィルタ１４は、吸収フィルタ、干渉フィルタ、モノクロメーター又は反射フィルタ６０として構成することが望ましい。 【００２１】　図１以外の各図には、他の実施例が示されており、同一の部品は夫々同じ様に記載されている。図２においては、レーザーが、放射線源１２として使用されて
いる。その単色光の放射線１８は、光線ガイド１６を介して歯２０に照射される。更に、照射器具１０は、照射された放射線１８にセパレーティングミラー３１によって加えられる様々な強度を有する白色光を発光する別の光源２９を有する。該光線ガイド１６は、画像伝達のために役立つ整然としたファイバー束を有する外部光線ガイド３０によって囲繞されている。該光線ガイド１６は、矢３４によって示されているように該外部光線ガイド３０に関して移動自在に配設される。歯２０に面した光線ガイド１６の端部が該外部光線ガイド３０の端部に近接する引取り位置においては、放射線１８は歯２０の表面に大きく照射される。該光線ガイド１６が更に歯２０に向かって移動した位置においては、歯２０の個々の箇所がより精密に診断され得る。例えば、歯２０内の窩洞２８をより精密に診断したり、必要ならば、それを治療することもできる。該外部光線ガイド３０によって搬送された画像形成した放射線２２は、フィルタ２４によって透過され、カメラ３２に供給され、それにより、歯２０の像を結像することが可能となる。別の光源２９により発光された白色光は、背景の輝度を上げることに役立ち、その結果、歯２０の輪郭がフィルタ２４による透過にもかかわらずよく見え、フィルタ２４が外側に枢動された場合にもよく見えることとなる。
 【００２２】　図３において、照射器具１０によって放射された放射線１８は、コレクターレンズ３６によって収束され、一部透明なセパレーティングミラー３８によって画像ガイドとしても機能する光線ガイド４０に供給される。このガイド４０は、コヒーレントで整然としたファイバー束から成り、そこでは該ガイド４０の入力面と出力面の個々のファイバが同じになるように配設されている。該ガイド４０の出力面には、該ガイド４０の画像機能を改善するためのレンズ４２が設けられている。図示しない歯によって反射された放射線２２は、該ガイド４０内に案内され、視野レンズ４３に向かってセパレーティングミラー３８の所で外側に反射される。ここではフィルター２４が、視野レンズ４３の背後に接続されている。該ガイド４０によって搬送された画像は、写真機又はビデオカメラ３２によって記録することもできる。カメラ３２に代わって、そこに供給された放射線から電気信号を形成する検知器とすることも可能である。この信号のために、齲蝕歯の診
断の結果を定量化することができる。」、
と記載されている。
　
　してみると、刊行物１には、
「口腔内における被観察組織の発光を起こす特定波長の光を口腔組織に入射させ、口腔内の被観察組織を発光させる光入射手段と、
　前記被観察組織から放出される被観察組織からの発光による映像を捕らえる受像手段とを備える口腔組織観察装置。」、
または、
「口腔内における被観察組織の発光を起こす光を口腔組織に入射させ、口腔内の被観察組織を発光させる光入射手段と、
　前記被観察組織から放出される光による映像を捕らえる受像手段と、
　前被観察組織から前記受像手段に入射する光のうち、
　特定の光のみを通過させるフィルターとを備える口腔組織観察装置。」
という発明が記載されている。
　
２）刊行物２：特開平１−１４５０８０号公報（甲第２号証）には、
（２−１）
「第１図はこの発明に係る近赤外レーザー照射光強度分布映像装置の全体構成を示すブロック図であり、同図において、１は生体組織等の照射対象物Ａに近赤外レーザー光を照射するレーザー装置で、このレーザー装置１としては、波長範囲が１．２μm以下のＮｄ−ＹＡＧレーザーや半導体レーザーが使用される。２は固体撮像素子３を有するテレビカメラで、上記レーザー装置１により近赤外レーザー光を照射した対象物Ａにおけるレーザー光の二次元像を光学系レンズ４を通して受像する。このテレビカメラ２に用いる撮像素子３としては、Ｘ−Ｙアドレス方式のＭＯＳや電荷転送方式のＣＣＤなどが考えられるが、撮像、転送、蓄積、読み出しなどの諸機能を有し、かつその分光強度特性から近赤外レーザー光に対して高い感受特性をもつＣＣＤ（Charge Coupled Device）の使用が最適である。５はＡ ／ Ｄ 変換器で、上記テレビカメラ２で検出した二次元像のビデオ信号を二値のデジタル信号に変換する．このＡ／Ｄ変換器５の入力段側に第１図仮想線で示すようなビデオアンプ６を介挿しても良い。７はパソコン（コンピュータ）であり、このパソコン７は上記Ａ／Ｄ変換器５の出力を記憶するメモリ７Ａと記憶画像に対して光強度分布のステップ階調処理や輪郭処理などの処理命令を付与するキーボード７ｂを接続したパソコン本体７Ｂと画像の取り込み、画面の切換え、入力チヤンネル切換えなどの制御機能をもつコントローラ７Ｃとを含むものである。８はＤ／Ａ 変換器で、上記パソコン７で処理されたデジタル画像信号をアナログ信号に変換する。９はビデオモニターで、上記Ｄ／Ａ変換器８の出力であるアナログ画像信号を画像表示する。
　尚、上記パソコン７における画像処理の主なものは、上記ＣＣＤテレビカメラ２の出力のある値を基準の強度レベルに設定し、その基準の強度レベルから出力の大小に応じてステップ階調処理をおこなうことであり、これによって近赤外レーザー光の強度に対応した色別階調で画像をビデオモニター９に表示することができる。また、画像の輪郭処理も行なうことができる。」（第２頁左下欄第５行〜第３頁左上欄第５行）、
　
（２−２）　
「とくに医学応用においては、データにもとづいて近赤外レーザー光照射による治療効果や安全性等を検討することが可能で、適確な治療効果を達成することができる。また、本装置を用いてレーザー光の生体における強度分布をモニターしながらレーザー治療を適確に遂行することもできる。」（第３頁左上欄第１８行〜右上欄第４行）、
と記載されている。
　
３）刊行物３：特開昭５６−９５０６４号公報（甲第３号証）には、
（３−１）
「第２図は本発明の光応用診断・治療装置の実施例を示す図である。１は患者、４は励起レーザ、５は反射・透過光分光器、６は演算制御装置、７は送光用光ファイバ、８は受光用光ファイバ、９は演算制御装置６の入力ライン、１０は制御ライン，１１は患部組織である。受光用光ファイバ７と送光用光ファイバ８とはファイバ先端部で一体化されている。演算制御装置６はモニター用表示装置、記憶装置及ひ出力装置を備えている。光ファイバの先端は診断に先立つて患者１の体表面上に位置を固定される。励起レーザ４として、近紫外、可視あるいは近赤外の波長領域から予め診断に適する波長を発生するレーザが選定される。励起レーザ４は診断終了後、治療のための別のレーザに交換することができる。　励起レーザ４により発生されたレーザ光は送光用光ファイバ７により患部組織１１へ生体表面から照射される。患部組織１１からの反射光あるいは透過光は受光用光ファイバ８により反射透過光分光器５へ伝送され、スペクトル分析により数値化処理がなされる。このように、スペクトル分析により得られた結果を数値化して扱うために、患部の病変の種類と程度とが定量的かつ客観的に得られる。例えば、処理の結果は入力ライン９を介して演算制御装置６へ送られ、モニター用ＴＶ等の表示装置にオンライン表示され、併わせてプリンタ等の出力装置により記録される。各種の分光処理結果に対応するデータを演算制御装置６の記憶装置に予め記憶させておき、診断あるいは治療に利用することができる。オペレータは変化する患部の病変を演算制御装置６の出力によってオンラインで監視しながら、さらに必要な診断あるいは治療の内容に応じてフィードバックループである制御ライン１０を介して励起レーザ４を制御しつつ診断あるいは治療を進めることかできる。このように、治療の効果をオンラインでスペクトル分析により監視しながら励起レーザ４を必要なだけ制御することにより、安定かつ確実な治療を行える。更に、診断と治療を同一装置により行なえる利点も有している。」（第２頁左上欄第１０行〜左下欄第９行）、
　
（３−２）
「（４）　光化学反応による癌等の治療−メチレンブルー、ポリフイリン等の各種の色素混入物であるメディケーター（Medicator）を増感剤として病変部に塗布することにより、光化学反応を生ぜしめて病変組織を破壊する。これらメディケーターは特定の波長に対して選択的に感度が高いので、励起レーザとしては色素レーザ等の波長可変レーザを用いると効果的に治療でき有利である。」（第２頁右下欄第１４行〜第３頁左上欄第２行）、
と記載されている。
　
４）刊行物４：特開平３−９７４４１号公報には、
「最近、蛍光を利用して内視鏡で腫瘍部を発見する診断技術が提案されている。例えば、腫瘍に集積性を持つモノクロナール抗体に蛍光剤を標識（化学的に接合）して生体に投与（静注、腔内散布）し、生体にレーザ光等による励起光を照射する。腫瘍に集まった蛍光標識モノクロナール抗体に励起光が照射されると、抗体（＝腫瘍部）から蛍光が発せられる。この蛍光を検知することにより、腫瘍を発見する。蛍光剤は、その種類によって励起光の波長が決まっており、その波長光を含む光をあててやることにより、蛍光を発する。」（第１頁右下欄第５行〜第１５行）、
と記載されている。
　
エ）当審の判断
１）本件の請求項１に係る発明と刊行物１に記載された発明とを対比すると、両者は、
「口腔内における被観察組織の発光を起こす特定波長の光を口腔組織に入射させ、口腔内の被観察組織を発光させる光入射手段と、
　前記被観察組織から放出される被観察組織からの発光による映像を捕らえる受像手段とを備える口腔組織観察装置」
である点で一致し、
（１）本件の請求項１に係る発明においては、受像手段が、被観察組織から放出される透過した被観察組織の発光を起こす特定波長の光をも捕らえるのに対し、刊行物１に記載された発明においては、受像手段が被観察組織から放出される透過した被観察組織の発光を起こす特定波長の光を捕らえていない点、
（２）本件の請求項１に係る発明においては、受像手段が映像をカラー映像として捕らえるのに対し、刊行物１に記載された発明においては、受像手段が映像をカラー映像として捕らえているのか明確でない点、
（３）本件の請求項１に係る発明においては、受像手段で捕らえた映像を映すモニター装置が備えられているのに対し、刊行物１に記載された発明においては、受像手段で捕らえた映像を映すモニター装置が備えられていない点、
において相違している。
　
　相違点について検討する。
　映像をカラー映像として捕らえる受像手段や受像手段で捕らえた映像を映すモニター装置がこの出願の前に公知であり、刊行物１に記載された発明において、受像手段を映像をカラー映像として捕らえる受像手段とし、受像手段で捕らえた映像を映すモニター装置を設けることが当業者にとって容易になし得ることであるとしても、刊行物１ないし４には相違点（１）に係る構成が記載されておらず、また、示唆もされていない。特に刊行物１に記載された発明においては、口腔内の被観察組織である歯に入射する放射線（光）は、３６０ｎｍ乃至５８０ｎｍのスペクトルレンジのものであるが、フィルタ２４は６２０ｎｍ以上のスペクトルレンジの放射線を透過させるものであり、受像装置であるカメラは、蛍光放射を励起する３６０ｎｍ乃至５８０ｎｍのスペクトルレンジの放射線（光）を捕らえていない。
　しかも、本件の請求項１に係る発明は、相違点（１）に係る構成を有することにより、明細書の【発明の効果】の欄に記載された効果を奏するものと認められる。
  したがって、本件の請求項１に係る発明は刊行物１ないし４に記載された発明に基づいて当業者が容易に発明をすることができたものであるとはいえない。
　
２）本件の請求項２に係る発明と刊行物１に記載された発明とを対比すると、両者は、
「口腔内における被観察組織の発光を起こす光を口腔組織に入射させ、口腔内の被観察組織を発光させる光入射手段と、
　前記被観察組織から放出される光による映像を捕らえる受像手段と、
　前被観察組織から前記受像手段に入射する光のうち、
　特定の光のみを通過させるフィルターとを備える口腔組織観察装置。」
である点で一致し、
（４）本件の請求項２に係る発明においては、フィルターが、透過した被観察組織の発光を起こす特定波長の光のみを通過させるのに対し、刊行物１に記載された発明においては、フィルターが、透過した被観察組織の発光を起こす特定波長の光を通過させるものではない点、
（５）本件の請求項２に係る発明においては、受像手段が映像をカラー映像として捕らえるのに対し、刊行物１に記載された発明においては、受像手段が映像をカラー映像として捕らえているのか明確でない点、
（６）本件の請求項２に係る発明においては、受像手段で捕らえた映像を映すモニター装置が備えられているのに対し、刊行物１に記載された発明においては、受像手段で捕らえた映像を映すモニター装置が備えられていない点、
において相違している。
　
　相違点について検討する。
　映像をカラー映像として捕らえる受像手段や受像手段で捕らえた映像を映すモニター装置がこの出願の前に公知であり、刊行物１に記載された発明において、受像手段を映像をカラー映像として捕らえる受像手段とし、受像手段で捕らえた映像を映すモニター装置を設けることが当業者にとって容易になし得ることであるとしても、刊行物１ないし４には相違点（４）に係る構成が記載されておらず、また、示唆もされていない。特に刊行物１に記載された発明においては、口腔内の被観察組織である歯に入射する放射線（光）は、３６０ｎｍ乃至５８０ｎｍのスペクトルレンジのものであるが、フィルタ２４は６２０ｎｍ以上のスペクトルレンジの放射線を透過させるものであり、受像装置であるカメラは、蛍光放射を励起する３６０ｎｍ乃至５８０ｎｍのスペクトルレンジの放射線（光）を捕らえていない。
　しかも、本件の請求項２に係る発明は、相違点（４）に係る構成を有することにより、明細書の【発明の効果】の欄に記載された効果を奏するものと認められる。
　したがって、本件の請求項２に係る発明は刊行物１ないし４に記載された発明に基づいて当業者が容易に発明をすることができたものであるとはいえない。
　
３）本件の請求項３、４に係る発明は、それぞれ、本件の請求項１、２に係る発明をさらに限定したものであるから、本件の請求項１、２に係る発明について述べた理由と同様の理由により刊行物１ないし４に記載された発明に基づいて当業者が容易に発明をすることができたものであるとはいえない。
　
オ）むすび
　以上のとおりであるから、特許異議申立ての理由及び証拠によっては本件の請求項１ないし４に係る発明についての特許を取り消すことはできない。
　また、他に本件の請求項１ないし４に係る発明についての特許を取り消すべき理由を発見しない。
  したがって、本件請求項１ないし４に係る発明についての特許は拒絶の査定をしなければならない特許出願に対してされたものと認めない。
 よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月７日（２００２．３．７）
【訂正の要旨】
　特許第３１１７１７８号発明の明細書を、本件特許異議申立てに関連してなされた訂正請求書に添付した訂正明細書のとおりに訂正する。
訂正事項１）：特許請求の範囲の請求項１を、特許請求の範囲の減縮を目的として、
「【請求項１】
（ａ）口腔内における被観察組織の発光を起こす特定波長の光を口腔組織に入射させ、口腔内の被観察組織を発光させる光入射手段と、
（ｂ）前記被観察組織から放出される透過した被観察組織の発光を起こす特定波長の光と被観察組織からの発光による映像をカラー映像として捕らえる受像手段と、
（ｃ）該受像手段で捕らえた映像を映すモニター装置とを備える口腔組織観察装置。」
と訂正する。
訂正事項２）：特許請求の範囲の請求項２を、特許請求の範囲の減縮を目的として、
「【請求項２】
（ａ）口腔内における被観察組織の発光を起こす光を口腔組織に入射させ、口腔内の被観察組織を発光させる光入射手段と、
（ｂ）前記被観察組織から放出される光による映像を捕らえる受像手段と、
（ｃ）前記被観察組織から前記受像手段に入射する光のうち、透過した被観察組織の発光を起こす特定波長の光のみを通過させるフィルターと、
（ｄ）カラー映像として該受像手段で捕らえた映像を映すモニター装置とを備える口腔組織観察装置。」
と訂正する。
訂正事項３）：特許請求の範囲の請求項３を、特許請求の範囲の減縮を目的として、
「【請求項３】
（ａ）口腔内における被観察組織の発光を起こす特定波長の光を口腔組織に入射させ、口腔内の被観察組織を発光させる光入射手段と、
（ｂ）前記被観察組織に付与して、前記被観察組織から放出される光の発光を変化させる着色剤または蛍光発色剤などの添加剤と
（ｃ）前記添加剤を付与された被観察組織から放出される透過した被観察組織の発光を起こす特定波長の光と被観察組織からの発光による映像をカラー映像として捕らえる受像手段と、
（ｄ）該受像手段で捕らえた映像を映すモニター装置とを備える口腔組織観察装置。」
と訂正する。
訂正事項４）：特許請求の範囲の請求項４を、特許請求の範囲の減縮を目的として、
「【請求項４】
（ａ）口腔内における被観察組織の発光を起こす光を口腔組織に入射させ、口腔内の被観察組織を発光させる光入射手段と、
（ｂ）前記被観察組織に付与して、前記被観察組織から放出される光の発光を変化させる着色剤または蛍光発色剤などの添加剤と
（ｃ）前記添加剤を付与された被観察組織から放出される光による映像を捕らえる受像手段と、
（ｄ）前記添加剤を付与された被観察組織から前記受像手段に入射する光のうち、透過した被観察組織の発光を起こす特定波長の光のみを通過させるフィルターと、
（ｅ）カラー映像として該受像手段で捕らえた映像を映すモニター装置とを備える口腔組織観察装置。」
と訂正する。
訂正事項５）：特許明細書の段落【０００６】を、明りょうでない記載の釈明を目的として、
「【課題を解決するための手段】
　本発明は、上記の目的を達成するために、次の技術的手段を採用する。
　請求項１の口腔組織観察装置は、
（ａ）口腔内における被観察組織の発光を起こす特定波長の光を口腔組織に入射させ、口腔内の被観察組織を発光させる光入射手段と、
（ｂ）前記被観察組織から放出される透過した被観察組織の発光を起こす特定波長の光と被観察組織からの発光による映像をカラー映像として捕らえる受像手段と、
（ｃ）該受像手段で捕らえた映像を映すモニター装置とを備える口腔組織観察装置。
とを備える。」
と訂正する。
訂正事項６）：特許明細書の段落【０００７】を、明りょうでない記載の釈明を目的として、
「請求項２の口腔組織観察装置は、
（ａ）口腔内における被観察組織の発光を起こす光を口腔組織に入射させ、口腔内の被観察組織を発光させる光入射手段と、
（ｂ）前記被観察組織から放出される光による映像を捕らえる受像手段と、
（ｃ）前記被観察組織から前記受像手段に入射する光のうち、透過した被観察組織の発光を起こす特定波長の光のみを通過させるフィルターと、
（ｄ）カラー映像として該受像手段で捕らえた映像を映すモニター装置とを備える口腔組織観察装置とを備える。」
と訂正する。
（５４）【発明の名称】
口腔組織観察装置
（５７）【特許請求の範囲】
　【請求項１】
（ａ）口腔内における被観察組織の発光を起こす特定波長の光を口腔組織に入射させ、口腔内の被観察組織を発光させる光入射手段と、
（ｂ）前記被観察組織から放出される
透過した被観察組織の発光を起こす特定波長の光と被観察組織からの発光
カラー映像として
（ｃ）該受像手段で捕らえた映像を映すモニター装置とを備える口腔組織観察装置。
　【請求項２】
（ａ）口腔内における被観察組織の発光を起こす光を口腔組織に入射させ、口腔内の被観察組織を発光させる光入射手段と、
（ｂ）前記被観察組織から放出される光による映像を捕らえる受像手段と、
（ｃ）前記被観察組織から前記受像手段に入射する光のうち、
　
透過した被観察組織の発光を起こす
（ｄ）
カラー映像として
　【請求項３】
（ａ）口腔内における被観察組織の発光を起こす特定波長の光を口腔組織に入射させ、口腔内の被観察組織を発光させる光入射手段と、
（ｂ）前記被観察組織に付与して、前記被観察組織から放出される光の発光を変化させる着色剤または蛍光発色剤などの添加剤と
（ｃ）前記添加剤を付与された被観察組織から放出される
透過した被観察組織の発光を起こす特定波長の光と被観察組織からの発光
カラー映像として
（ｄ）該受像手段で捕らえた映像を映すモニター装置とを備える口腔組織観察装置。
　【請求項４】
（ａ）口腔内における被観察組織の発光を起こす光を口腔組織に入射させ、口腔内の被観察組織を発光させる光入射手段と、
（ｂ）前記被観察組織に付与して、前記被観察組織から放出される光の発光を変化させる着色剤または蛍光発色剤などの添加剤と
（ｃ）前記添加剤を付与された被観察組織から放出される光による映像を捕らえる受像手段と、
（ｄ）前記添加剤を付与された被観察組織から前記受像手段に入射する光のうち、　
　
透過した被観察組織の発光を起こす
（ｅ）
カラー映像として
【発明の詳細な説明】
　【０００１】
　【産業上の利用分野】
　本発明は、歯、歯肉、顎骨、舌、頬など、口腔組識を観察するのに適した口腔組識観察装置およびその着色剤または蛍光発色剤などの添加剤に関し、特に歯科治療、診査などに用いて好適なものである。
　【０００２】
　【従来技術】　歯科治療の状況を用いて従来技術を説明する。現在の歯科治療では、患者の歯や、歯肉、顎骨の状態を観察するために、Ｘ線撮影によって得られたフィルム情報と、歯科医が直接視認によって観察した視認情報とで治療を進めている。
　【０００３】
　【発明が解決しようとする課題】
　Ｘ線撮影は、患者にＸ線を放射するため、患者が被爆する不具合がある。　また、Ｘ線撮影は、観察組織の密度差によって、組織の観察を行うものであるため、歯が重なる部位の観察や、密度差の小さい組織の観察ができない不具合がある。具体的には、カリエス境界面の観察が困難であるとともに、軟組織の観察ができないため、例えば、炎症部や膿瘍部の観察ができない。また、歯牙などに金属性補綴物が設けられている場合では、金属性補綴物のＸ線透過部分が影になるため、金属性補綴物の影の部分をＸフィルムから読み取ることができない。補綴物が樹脂の場合は、カリエスとの区別がつかない不具合がある。
　さらに、Ｘ線撮影では、得られる映像がモノクロであるため、組織内の色の変化を観察し、治療に役立てることができない。
　【０００４】
　一方、歯科医が歯を直接視認する視認情報は、歯を口腔外からライトで照らし、歯の表面の状態を観察するものであるため、歯の内部や歯肉の状態まで観察できない不具合がある。
　【０００５】
　【発明の目的】
本発明の目的は、Ｘ線によるフィルム情報や、視認による視認情報からでは得ることが困難な口腔組識の状態を観察する事ができる口腔組織観察装置およびその着色剤または蛍光発色剤などの添加剤の提供にある。
　【０００６】
　【課題を解決するための手段】
本発明は、上記の目的を達成するために、次の技術手段を採用する。
　請求項１の口腔組織観察装置は、
（ａ）口腔内における被観察組織の発光を起こす特定波長の光を口腔組織に入射させ、口腔内の被観察組織を発光させる光入射手段と、
（ｂ）前記被観察組織から放出される
透過した被観察組織の発光を起こす特定波長の光と被観察組織からの発光
カラー映像として
（ｃ）該受像手段で捕らえた映像を映すモニター装置とを備える口腔組織観察装置。
とを備える。
　【０００７】
　請求項２の口腔組織観察装置は、
（ａ）口腔内における被観察組織の発光を起こす光を口腔組織に入射させ、口腔内の被観察組織を発光させる光入射手段と、
（ｂ）前記被観察組織から放出される光による映像を捕らえる受像手段と、
（ｃ）前記被観察組織から前記受像手段に入射する光のうち、
　
透過した被観察組織の発光を起こす
（ｄ）
カラー映像として
　【０００８】
　請求項３または請求項４の着色剤または蛍光発色剤などの添加剤は、口腔内における被観察組織の発光を起こす光を口腔内の被観察組織に入射させ、前記被観察組織から放出される光をモニターする口腔組織観察装置に用いられるものであって、前記被観察組織に付与して、前記被観察組織から放出される光の発光を変化させるものである。
　【０００９】
　【発明の作用】
光入射手段によって、光を口腔組識に与える。光入射手段から光の入射を受ける口腔組識は、入射した光が透過して、発光した状態になる。この発光した状態をカメラで捕らえる。この時組織を発光させるための特定波長の光を入射手段から被観察組識へ照射したり、組織からの放出光から特定波長の光情報を抽出し、その光をカメラが捕らえ、そのカメラがとらえた口腔組識を、直接あるいは画像処理してモニター装置に写し、観察者はモニター装置で口腔組識を観察する。また被観察組識に着色剤や蛍光発色剤などの添加剤を付与しさらに際立った形状または性状映像を得て口腔組識を観察することも可能となる。
　【００１０】
　【発明の効果】
本発明の口腔組識観察装置は、観察を受ける者を被爆させることなく、内部が光の透過によって透けた状態の口腔組織をモニター装置で観察できる。さらにこの時被観察組識への入射光を特定波長の光を採用したり、放出された光の特定波長の光を観察するなど特定の性質を有する光を観察する。そして、これら特定の性質を有する光により口腔組織を観察することにより、Ｘ線撮影や視認では観察が困難であった歯の重なり合う境界面や、歯や顎骨内部、軟組識内部の観察がより明瞭に観察できるようになる。また、Ｘ線撮影では、観察できなかった金属製補綴物の影の部分でも、入射した光の回り込みによって観察がより容易に行える。補綴物が樹脂の場合は、モニター装置の映像からカリエスか、樹脂製補綴物かを容易に区別できる。さらに、実際の口腔組識をモニター装置に写された口腔組識の映像から、従来の手段では得ることができなかった口腔組識の情報を得ることが可能となった。ここで着色剤や発色剤などの添加剤を使用すれば、口腔組識におけるさらに明確な形状、性状観察が可能となる。
　【００１１】
光ファイバーを用いて光を口腔組織に入射させる構造を採用する場合、口腔内に挿入される部分の外形を小さくでき、口腔組識観察装置として大変適する。また、観察する口腔組識とカメラの間に受像伝達手段を設けることで、口腔内に挿入される部分の外形を小さくできる。このため、口腔組識観察装置として大変適する。さらに、カメラで捕らえた映像の特定の波長成分を抽出してモニター装置に写すことでは判断しにくい口腔組識の情報も容易に得ることができる。
　【００１２】
　【実施例】
　次に、本発明の口腔組織観察装置を、図に示す実施例に基づき説明する。〔実施例の構成〕　図１および図２は実施例を示すもので、図１は口腔組織観察装置の概略図、図２は観察ヘッドの斜視図である。
　【００１３】
　本実施例の口腔組織観察装置は、端部が口腔内に挿入される観察ヘッド１、発光部２およびモニター装置３を備える本体４、および観察ヘッド１と本体４とを接続するコード５から構成される。　観察ヘッド１は、歯科医などの観察者の手に握られて操作される観察用の操作部で、口腔内の歯Ａ（口腔組織の一例）の外側（または内側）に先端が挿入される受像部６を備える。
　【００１４】
　受像部６は、樹脂や金属等による筒状ハウジング７に覆われ、先端の側面にガラスやアクリル樹脂など光を通過させる光透過部８が設けられている。また、筒状ハウジング７の内部には、筒状ハウジング７の先端に受像面が向けられた小型のカメラ９（例えばカラーＣＣＤカメラ）が内蔵されている。そして、筒状ハウジング７の先端内部には、光透過部８を透過した光をカメラ９に向けるミラー１１（受像伝達部の一例）が配置され、図１および図２に示す
ように、観察ヘッド１を口腔内に挿入し、光透過部８を歯Ａに向けた際、歯Ａを光透過部８、ミラー１１を介してカメラ９に写すように設けられている。
　【００１５】
　また、観察ヘッド１には、発光部２からコード５を通って導かれた光ファイバー１２の端１２ａを備える。この、発光部２および光ファイバー１２は、歯Ａ（口腔組織の一例）に光を入射させる本発明の光入射手段の一例で、光ファイバー１２の端１２ａから歯Ａ内に光を入射させるものである。光ファイバー１２は、１本または複数本用いたもので、口腔外に設けられた発光部２の発生する光を口腔内に導き、端１２ａから光透過部８に向けて光を放射する。そして、光ファイバー１２の端１２ａは、光透過部８との間に歯Ａが入るように、光透過部８と間隔（例えば、１〜２ｃｍ）を隔てた状態で観察ヘッド１に設けられている。
　【００１６】
　また、観察ヘッド１に設けられた光ファイバー１２は、端１２ａからの所定長（数ｃｍ）が筒状ハウジング７から離されて設けられており、観察ヘッド１を操作する際、口腔内の各歯が光ファイバー１２に当たらないように設けられている。なお、端１２ａは、ファイバーの軸方向に垂直にカットされた形状のものでも良いが、観察する歯Ａに適度に光が分散するように、レンズ処理を施したり、軸方向に対して傾斜する方向にカットした形状に設けても良い。　コード５には、上述の光ファイバー１２の他に、カメラ９とモニター装置３とを繋ぐ電気線１３が設けられている。
　【００１７】
　発光部２は、通電により光を発生するランプ（例えばハロゲンランプ）を備えるもので、このランプに光ファイバー１２の端（観察ヘッド１とは異なった側の端）が向けられ、ランプの発生する光を光ファイバー１２内に導くように設けられている。
　【００１８】
　モニター装置３は、映像を写すブラウン管あるいは液晶等を用いた周知の映像表示装置と、カメラ９の捕らえた映像を映像表示装置に写すための周知の回路とを搭載した装置である。
　【００１９】
　なお、歯科用観察装置は、図示しない電力供給部を備え、図示しない起動スイッチ部がＯＮされることにより、発光部２、カメラ９、モニター装置３が起動するように設けられている。　また、本実施例では、ミラー１１によってカメラ９によって捕らえられる歯Ａの像が反転する。このため、本体４に、カメラ９の捕らえた映像を反転させてモニター装置３へ送る反転手段を設け、観察者の理解を助けるように設けても良い。
　【００２０】
〔実施例の作動〕
　起動スイッチをＯＮすると、発光部２内のランプが点灯し、ランプの光が光ファイバー１２を通って観察ヘッド１側の端１２ａから放射されるとともに、カメラ９が光透過部８側の映像を捕らえ、モニター装置３に写す。　この状態で、観察者が観察ヘッド１を口腔内の観察部分に挿入し、図１および図２に示すように、光ファイバー１２の端１２ａと光透過部８との間に観察する歯Ａを介在させる。すると、光ファイバー１２が放射した光が歯Ａに当たり、光の一部が歯Ａに入射した後、歯Ａの反対側へ透過する。つまり、歯Ａは端１２ａから入射した光の一部が透過して透けた状態になる。この光が透過する状態の歯Ａの映像が、光透過部８、ミラー１１を介してカメラ９に捕らえられる。この結果、光によって内部が透けた歯Ａがモニター装置３に映し出される。
　【００２１】
〔実施例の効果〕
　上記作動で示したように、本実施例の口腔組織観察装置では、モニター装置３によって、光によって内部が透けた歯Ａが観察できる。光の透過する歯Ａをモニター装置３で観察することにより、Ｘ線撮影や直接の視認では観察が困難であった隣接面カリエスが明瞭に観察できるようになったり、歯髄を観察したり、カリエスと歯髄との近接度、切削した歯牙表面と歯髄との近接度等が観察できるようになる。このように、従来では観察できなかった歯Ａの情報が得られるため、従来に比較して歯Ａを高い精度で治療することが可能になる。
　【００２２】
　また、口腔組織観察装置は、比較的シンプルな構成よりなる。このため、歯牙治療に大変役立つ歯牙情報を得る装置としてはコストを低く抑えて提供することができる。勿論、カメラ９で捕らえた映像を既存のモニター装置（テレビジョン、パーソナルコンピュータ、他の設備のモニター装置）を利用して写すことで、口腔組織観察装置の提供コストを大変低く抑えることができる。この場合、カメラ９の捕らえた映像を既存のモニター装置で写すための回路をアダプターとして与え、このアダプターを既存のモニター装置に接続することで、カメラ９の捕らえた映像を既存のモニター装置で観察できる。
　【００２３】
　光ファイバー１２を用いて歯Ａに光を与える構造を採用するため、口腔内に挿入される部分の外形を小さくできるとともに、観察ヘッド１は主に筒状ハウジング７と小型のカメラ９で軽量であるため、操作し易く口腔組織観察装置として大変適している。また、光ファイバー１２は、容易に撓むため、口腔組織を傷つけることがない。なお、観察ヘッド１部分の光ファイバー１２の形状を、観察者の操作で容易に変更し、光透過部８に対する光の放射方向や、光の放射位置を任意に変更できるように設けても良い（例えば、光ファイバー１２の周囲に適度な間隔で金属線を巻いたり、光ファイバー１２の側面に金属線を貼着するなどによって達成できる）。
　【００２４】
　一方、歯Ａとカメラとの間にミラー１１（受像伝達部）を設けているため、カメラ９が口腔外の状態で歯Ａを観察できる。つまり、カメラ９を口腔内に挿入する必要がないため、観察ヘッド１における口腔内に挿入される部分の外形が小型化でき、奥歯などでも容易に観察できる。
　【００２５】
〔変形例〕
　上記の実施例では、受像伝達部の一例としてミラー１１を用いた例を示したが、図３に示すように、光ファイバー２０を用いても良い。受像伝達部に光ファイバー２０を用いることにより、カメラ９を観測ヘッド１から離すことができ、観測ヘッド１の重量を軽くできるとともに、観測ヘッド１をさらに小型化できる効果を奏する。　上記の実施例では、口腔組織の像をカメラに伝える受像伝達部を設けた例を示したが、図４に示すように、直接カメラで口腔組織を写しても良い。
　【００２６】
　上記の実施例では、光ファイバー１２の端１２ａを、歯Ａ（口腔組織）から離して用いた例を示したが、光ファイバー１２の端１２ａを、口腔組織に直接当てることにより、光ファイバー１２の端１２ａから放射された光が、口腔組織の表面で反射する率が減少するとともに、カメラ９への外乱光が少なくなり、さらに効率良く光を口腔組織内に入射させることができる。この場合、観察ヘッド１部分における光ファイバー１２の復元力や、追加して設けるバネ部材（樹脂材料や金属材料等）の復元力で、光ファイバー１２の端１２ａが口腔組織に当接するように設けても良いし、光ファイバー１２の端１２ａと、受像部分との間隔を観察者が操作できるように設け、光ファイバー１２ａの端１２ａと口腔組織との距離を観察者が調節しながら口腔組織を観察できるように設けても良い。　また、光ファイバー１２の端１２ａを直接、口腔組織に当接させる場合は、図５に示すように、透明なペーストＰを用い、効率良く光を口腔組織内に入射させても良い。
　【００２７】
　上記の実施例では、歯Ａ（口腔組織）の一方から光を当て、反対面から映像を捕らえた例を示したが、光の放射方向に対して、像を捕らえる方向が交差するように設けても良い。一例を示すと、図６の（ａ）に示すように、歯Ａの先端から光を与え、歯Ａの正面から像を捕らえても良い。この場合、歯Ａの亀裂Ｑやエナメル葉が発見できる。また、図６の（ｂ）に示すように、歯Ａの側面から光を与え、歯Ａの正面から像を捕らえても良い。この場合、歯髄Ｒの観察や、カリエスと歯髄Ｒとの近接度、切削した歯牙表面と歯髄Ｒとの近接度等の観察が容易に行える。
　【００２８】
　上記の実施例では、口腔組織の一例として、歯Ａを観察した例を示したが、歯肉や、顎骨、頬、舌など、他の口腔組織を観測しても良い。この一例を示すと、図７に示すように歯茎Ｂにできた歯槽膿瘍Ｃを観察したり、図８に示すように歯牙Ｄの基部の嚢胞Ｅを観察したり、図９に示すように頬Ｆを観察したり、図１０に示すように唇Ｇを観察したり、図１１に示すように舌Ｈを観察しても良い。歯牙Ｄの基部の嚢胞Ｅを観察する例としては、図８の他に、図１２に示すように、切削して広げた根管Ｉより光ファイバー１２を挿入して、直接嚢胞Ｅ内に光を入射させて観察しても良い。また、頬Ｆの近傍を観察する例としては、図１３に示すように、顎堤の内側へ光ファイバー１２を導いて頬Ｆを観察しても良い。この場合、頤孔の観察も可能になる。
　【００２９】
　上記の実施例では、光ファイバー１２に導く光の一例として、通電により発光するランプを例に示したが、レーザー光や、電磁波を光ファイバー１２に導いたり、太陽光を導くように設けても良い。勿論、光ファイバー１２に導く光の種類を切り替えたり、波長を連続的あるいは段階的に変化させても良い。　光ファイバー１２をコード５を用いて観察ヘッド１へ導いた例を示したが、観察ヘッド１の近傍に発光体を設け、光ファイバー１２の長さを短く設けても良い。
　【００３０】
　上記の実施例では、発光体の発した光を光ファイバー１２を用いて口腔組織内へ入射させる例を示したが、ＬＤやＬＥＤなど小型の発光体を用い、発光体の発する光を直接口腔組織内に入射させるように設けても良い。この場合も、発生する光の波長を変化させるように設けたり、発光体を複数用いて切り替えたり、発光体の光放射部分を口腔組織から離して用いたり、発光体の光放射部分を口腔組織に直接当接させたり、発光体の光放射部分と口腔組織との距離を変化できるように操作手段を設けるなどしても良い。　カメラで捕らえた映像を記憶する記憶装置を設け、静止画像としてモニター装置３に写しても良い。
　【００３１】
　カメラの捕らえた映像をそのままモニター装置３に写した例を示したが、図１４に示すようにカメラ９の捕らえた映像をコンピュータを搭載した解析手段２１で解析処理し、解析処理された映像をモニター装置３で写しても良い。なお、解析結果は、カラー映像である必要はなく、モノクロ映像であっても良い。　具体的な一例を示すと、口腔組織に与える光の波長を連続的または段階的にに可変させ、口腔組織の発光ピークや吸収ピークを抽出し、患部の内容物の性質や範囲等の解析を行う。さらに具体的な例を示すと、歯牙修復用の光硬化樹脂を用いて歯牙治療を行う場合で、口腔内で光硬化樹脂に光を当てて硬化させる際、特定波長の光を併用して光硬化型樹脂に当て（あるいはカメラ９で捕らえた光成分から特定波長の光を抽出し）、この特定波長の吸収率をモニター装置３で観察することで、光硬化樹脂の硬化状態が観察でき、的確な治療が施せる。なお、光硬化樹脂を光硬化する際、治療部をカメラ９で捕らえ、その映像をそのままモニター装置３に写して観察しても良い。この場合は、光硬化樹脂を硬化する光度の大変高い光を術者が見ずに済むため、目を傷めることなく治療部を観察できる。
　【００３２】
　カメラにフィルター（ローパスフィルター、ハイパスフィルター、バンドバスフィルター、偏光フィルター等）を設けて特定の波長をカメラで捕らえ、捕らえた波長から口腔組織を観察する（例えば、カメラで捕らえた波長から赤外線領域の波長を取出し、放射熱の温度分布を解析し、炎症等の患部を観察する）。　観測する口腔組織に処理を施すことなく観測した例を示したが、蛍光物質を付加したモノクロナール抗体を患部に注入し、特定の波長の光を口腔組織に当て、患部等を蛍光発色させて、患部の範囲を観測するなど、観測する口腔組織に処理を施して観察の補助を行わせても良い。　カリエス部など被緩衝対象物の表面に着色剤や蛍光発色剤などの添加剤を付与して、観察を容易にしても良い。
　【００３３】
　本実施例では、光を透過する像を、１つのカメラ９で捕らえた例を示したが、像をカメラ９へ導く受像伝達部の経路に、図１５に示すように、ハーフミラーやプリズムなどの分光手段２２を設け、同時に複数のカメラ９で映像を捕らえても良い。これによって、例えば一方のカメラ９で捕らえた映像をそのままモニター装置３に写し、他方のカメラ９で捕らえた映像を解析処理し、処理結果の映像をモニター装置３の映像に重合わせることで、多方面から口腔内の状態を同時に観察することができる（勿論、解析処理した複数の映像を合成して観察しても良い）。さらに具体的な例を示すと、光硬化樹脂に光を当てた治療部を一方のカメラ９で捕らえて、その映像をそのままモニター装置３に写し、他方のカメラ９で捕らえた特定波長の吸収率の映像をモニター装置３に合成し、重合の進行状態を可視像に合成して同時に観察するように設けても良い。
　【００３４】
　カメラの一例としてＣＣＤカメラを例に示したが、ＭＯＳイメージセンサ、ＣＩＤイメージセンサ、赤外カメラなどの固体イメージセンサや、ビジコン、サチコン、ニュービコンなどの撮影管を用いたカメラなど、他のカメラを用いても良い。　観察ヘッド上において、口腔組織内に光を入射させる部分の光放出方向や、光放出位置を、操作変更手段（例えば、上述したように、光ファイバー１２の側面に設けた金属線など）を用い、観察者の操作によって変更可能に設けても良いし、逆に観察ヘッド上において、口腔組織内に光を入射させる部分の光放出方向や、光放出位置を、固定手段によって固定し、変更可能に設けても良い。　ファイバー側面に、単一あるいは複数の光放出のための開口部を、任意の位置に設けて空間的な入射光源としても良い。　口腔組織内を流れる血液中、あるいは口腔組織自体の溶存気体濃度（例えば　酸素濃度）を観察しても良い。　口腔組織内を流れる血液中、あるいは口腔組織中の波動を観察しても良い。
　【００３５】
【図面の簡単な説明】
　【図１】
　口腔組織観察装置の概略図である（実施例）。
　【図２】
　観察ヘッドの使用図である。（実施例）。
　【図３】
　観察ヘッドの要部概略図である（変形例）。
　【図４】
　観察ヘッドの使用図である（変形例）。
　【図５】
　ペーストの使用状態を示す説明図である（変形例）。
　【図６】
　光の放射方向と像を捕らえる方向が交差する説明図である（変形例）。
　【図７】
　歯茎の歯槽膿瘍を観察する説明図である（変形例）。
　【図８】
　歯牙基部の嚢胞を観察する説明図である（変形例）。
　【図９】
　頬を観察する説明図である（変形例）。
　【図１０】
　唇を観察する説明図である（変形例）。
　【図１１】
　舌を観察する説明図である（変形例）。
　【図１２】
　根管より光ファイバーを挿入して嚢胞を観察する説明図である（変形例）。
　【図１３】
　頬を観察する説明図である（変形例）。
　【図１４】
　口腔組織観察装置の概略図である（変形例）。
　【図１５】
　２つのカメラを備えた観察ヘッドの要部概略図である（変形例）。
　【符号の説明】
　３　モニター装置
　６　受像部
　９　カメラ
１１　ミラー（受像伝達部）
１２　光ファイバー
２１　解析手段